(57)【要約】【課題】  部品点数が少なく構造が簡単で、電動モータの出力軸とスプールとの連結状態の切り換えが容易であり、しかも、容易に状態の保持ができるクラッチ機構を備えた釣り用電動リールを提供する。【解決手段】  釣り用電動リールは、前端に穂先２を取り付ける把持部１と、出力軸３ａが把持部１と直行するように配置された電動モータ３と、把持部１に設けた支点部６を中心に揺動する揺動アーム５の先端に配設され、一方のフランジ４ａの外周に電動モータ３の出力軸３ａの周面を当接させて回転駆動されるスプール４と、揺動アーム５の後端に固定した揺動磁石７と、この揺動磁石７と反発する極性に磁化された固定磁石８が把持部１に固定され、固定磁石８に対して反発した揺動磁石７の位置により揺動アーム５を揺動させて電動モータ３の出力軸３ａと４スプールの外周との接離状態を切り換えるクラッチ機構を備える。【選択図】図１
0003209419.tif 000002
【実用新案登録請求の範囲】
【請求項１】
前端に穂先を取り付ける把持部と、
出力軸が前記把持部と直行するように前記把持部に配置された電動モータと、
前記把持部に設けた支点部を中心に揺動する揺動アームの先端に配設され、一方のフランジの外周に前記電動モータの出力軸の周面を当接させて回転駆動されるスプールと、
前記揺動アームの後端に固定した揺動磁石と、この揺動磁石と反発する極性に磁化された固定磁石が前記把持部に固定され、前記固定磁石に対して反発した前記揺動磁石の位置により前記揺動アームを揺動させて前記電動モータの出力軸と前記スプールの外周との接離状態を切り換えるクラッチ機構を備えた釣り用電動リール。
【請求項２】
揺動アームには、把持部に設けた支点部より前端側にスプールを配設するとともに押圧部を設け、前記支点部より後端側に揺動磁石を設け、前記押圧部への押圧操作により前記スプールのフランジの外周を電動モータの出力軸の周面に当接させる駆動状態を前記揺動磁石と固定磁石の磁気的反発力により保持させる請求項１に記載の釣り用電動リール。
【請求項３】
前記把持部に固定された固定磁石の前方に、揺動アームの後端に固定した揺動磁石を挿入する凹所を形成し、クラッチ機構によりスプールのフランジの外周を電動モータの出力軸の周面から離間させた開放状態のとき、前記揺動磁石を前記凹所に挿入させて前記揺動磁石と固定磁石の磁気的反発力により保持させる請求項１に記載の釣り用電動リール。
【考案の詳細な説明】
【技術分野】
【０００１】  本考案は、ワカサギ釣りやハゼ又はキス等の小魚釣りに使用する小型の釣り竿に使用する釣り用電動リールに関する。
【背景技術】
【０００２】  氷上での穴釣りやボート釣り等で使用するワカサギ釣り、或いはハゼまたはキス等の小物釣りにおいては、仕掛け部を手早く引き上げたり、所定の水深へ仕掛けを投入するためにクラッチ機構を備えた電動リール付きの釣り竿が使用されている。【０００３】  一般に知られている電動リール及び電動リール付きワカサギ釣り竿は、リール本体を把持部とし、把持部の先端に種々の穂先を着脱するようになっている。この把持部を兼ねた電動リールにおいて、例えば、特開２０１２−６３号公報（特許文献１）、実用新案登録第３１２５３００号公報（特許文献２）、特開平１０−１９１８４４号公報（特許文献３）及び、実用新案登録第３１４２１５８号公報（特許文献４）に示されているように、糸巻きスプール、電動モータ、及び、場合によっては電池が収納され、電動モータとスプールの間にクラッチ機能を備えている。そして、電動モータの回転を駆動力としてスプールに釣り糸が巻かれる。一方、クラッチ機能を切ったときには、リールのスプールが自由回転して釣り糸が送り出されるようになっている。
【先行技術文献】
【特許文献】
【０００４】
【特許文献１】特開２０１２−６３号公報
【特許文献２】実用新案登録第３１２５３００号公報
【特許文献３】特開平１０−１９１８４４号公報
【特許文献４】実用新案登録第３１４２１５８号公報
【考案の概要】
【考案が解決しようとする課題】
【０００５】  電動リールにおいて、電動モータの回転駆動力を釣り糸が巻かれるスプールに伝達するクラッチ機能として、特許文献１には、電動モータを連結した円板に複数のピンを設け、スプールを連結した円板に穴を形成し、一方の円板を移動させてピンと穴とを係脱させることによりクラッチ機構を構成することが示されている。しかしながら、高速回転する円板のピンを他方の円板の穴に挿入することは困難であり、例え挿入される場合でも衝撃が大きいことから、ピンが破損する問題がある。【０００６】  また、特許文献２には、電動モータを上下動するように取付け、スイッチをスライドさせることにより電動モータを傾斜させ、その出力軸がスプールのフランジから離れることによりクラッチを切り、スイッチを戻すことにより電動モータを水平にして出力軸とスプールのフランジとを接触させることによりクラッチを入れ、電動モータによりスプールを回転させて釣り糸を巻き上げるようにしたクラッチ機構が示されている。しかしながら、精密な電気部品である電動モータを、スライドスイッチで上下に回動させてクラッチ動作させるので、故障し易い問題があった。【０００７】  さらに、特許文献３、特許文献４には、スプールをカムによって上下動するように取付け、カムを回転操作することにより、スプールと電動モータの出力軸との連結状態と離脱状態を切り換えるクラッチ機構が示されている。しかしながら、スプールを上下動するためのカム機構を設けることから、構成が複雑になり故障の原因となる場合があった。しかも、スプールを上下のいずれかの位置で保持する構成、及び、カムを切り換えたときに保持する構成が必要となり、電動リールを大型化させるとともに、必然的にコストが高くなる問題がある。【０００８】  本考案が解決しようとする課題は、部品点数が少なく構造が簡単で、電動モータの出力軸とスプールとの連結状態の切り換えが容易であり、しかも、容易に状態の保持ができるクラッチ機構を備えた釣り用電動リールを提供することにある。
【課題を解決するための手段】
【０００９】  そこで、本考案による釣り用電動リールは、前端に穂先を取り付ける把持部と、出力軸が前記把持部と直行するように前記把持部に配置された電動モータと、前記把持部に設けた支点部を中心に揺動する揺動アームの先端に配設され、一方のフランジの外周に前記電動モータの出力軸の周面を当接させて回転駆動されるスプールと、前記揺動アームの後端に固定した揺動磁石と、この揺動磁石と反発する極性に磁化された固定磁石が前記把持部に固定され、前記固定磁石に対して反発した前記揺動磁石の位置により前記揺動アームを揺動させて前記電動モータの出力軸と前記スプールの外周との接離状態を切り換えるクラッチ機構を備えることを要旨としている。【００１０】  また、揺動アームには、把持部に設けた支点部より前端側にスプールを配設するとともに押圧部を設け、前記支点部より後端側に揺動磁石を設け、前記押圧部への押圧操作により前記スプールのフランジの外周を電動モータの出力軸の周面に当接させる駆動状態を前記揺動磁石と固定磁石の磁気的反発力により保持させるようにしている。【００１１】  さらに、前記把持部に固定された固定磁石の前方に、揺動アームの後端に固定した揺動磁石を挿入する凹所を形成し、クラッチ機構によりスプールのフランジの外周を電動モータの出力軸の周面から離間させた開放状態のとき、前記揺動磁石を前記凹所に挿入させて前記揺動磁石と固定磁石の磁気的反発力により保持させるようにしている。
【考案の効果】
【００１２】  本考案によれば、電動モータの出力軸に当接させて回転駆動されるスプールを先端に配設した揺動アームの後端に揺動磁石を固定し、この揺動磁石と反発する極性に磁化された固定磁石を把持部に固定してクラッチ機構を構成しているので、固定磁石に対して揺動磁石が反発力によって、いずれかの方向に離間することから、揺動アームに配設したスプールの外周と電動モータの出力軸との接離状態を明確に保持することができる。スプールの切り換え動作を行うクラッチ機構として、磁石と揺動アームによって構成することができるので、部品点数が少なく構造が簡単なことから、小型化が容易であり、しかも長寿命にすることが可能となる。【００１３】  また、把持部に設けた支点部より前端側の揺動アームに押圧部を設けることにより、この押圧部への押圧操作により、後端側の揺動磁石と固定磁石との磁気的反発力により、スプールのフランジの外周を電動モータの出力軸の周面に当接させる駆動状態を保持することができる。このとき、揺動磁石と固定磁石との磁気的反発力によって電動モータの出力軸の周面に対するスプールのフランジの外周の押圧力が得られるので、バネ等の押圧手段が不要になるので、部品点数が少なくなるので、コストを低減させることが可能となる。【００１４】  さらに、把持部に揺動アームの後端に固定した揺動磁石を挿入する凹所を形成しているので、クラッチ機構によりスプールのフランジの外周を電動モータの出力軸の周面から離間させた開放状態のとき、揺動磁石を凹所に挿入することができるので、スプールのフランジの外周を電動モータの出力軸の周面から離脱させたフリー状態を揺動磁石と固定磁石の磁気的反発力により保持させることができる。
【図面の簡単な説明】
【００１５】
【図１】本考案による釣り用電動リールを備えた釣り竿を示す側面図である。
【図２】本考案による釣り用電動リールを備えた釣り竿を示す上面図である。
【図３】釣り用電動リールのフリー状態を示す側面図である。
【図４】（Ａ）（Ｂ）は、揺動磁石と固定磁石の磁気的反発力の状態を示す説明図である。
【考案を実施するための形態】
【００１６】  本考案による釣り用電動リールは、前端に穂先を取り付ける把持部と、出力軸が前記把持部と直行するように前記把持部に配置された電動モータと、前記把持部に設けた支点部を中心に揺動する揺動アームの先端に配設され、一方のフランジの外周に前記電動モータの出力軸の周面を当接させて回転駆動されるスプールと、前記揺動アームの後端に固定した揺動磁石と、この揺動磁石と反発する極性に磁化された固定磁石が前記把持部に固定され、前記固定磁石に対して反発した前記揺動磁石の位置により前記揺動アームを揺動させて前記電動モータの出力軸と前記スプールの外周との接離状態を切り換えるクラッチ機構を備えている。
【００１７】  以下、図面に基づいて本考案の実施例を詳細に説明する。図１及び図２は、本考案による釣り用電動リールとして、ワカサギ釣り竿用の電動リールの実施例を示している。木材やプラスチックで形成された把持部１は、使用者が握りやすい太さの柱状に形成されている。把持部１の先端には穂先２が着脱可能に取付けられるようになっている。また把持部１の図示左方の先端側の下側には、電動モータ３を収納するモータ収納部１ａが形成されている。電動モータ３は、出力軸３ａが把持部１の長手方向と直交するように配置されている。
【００１８】  電動モータ３の出力軸３ａには、スプール４の一方のフランジ４ａの外周が当接するようになっていて、電動モータ３によって回転駆動される。このスプール４は、後述する釣り糸９を巻回するようにボビン状に形成され、左右両側にフランジ４ａが形成され、このフランジ４ａと直交する方向に貫通孔が形成されている。このフランジ４ａが電動モータ３の出力軸３ａに当接したとき、電動モータ３の回転力をスプール４に伝達するために、フランジ４ａと出力軸３ａの少なくとも一方にはスリップ防止手段が施されている。
【００１９】  スプール４は、揺動アーム５の先端に設けた軸５ａに貫通孔を挿通することにより回転自在に配設されている。揺動アーム５は、把持部１の側面に設けた支点部６を中心に揺動するように構成されている。そして、スプール４の近傍の平坦部分を押圧部５ｂとしている。一方、揺動アーム５の後端には、揺動磁石７が固定されている。この揺動磁石７としては、図示のような扁平なボタン状に形成された例えばネオジム永久磁石が好適である。
【００２０】  把持部１の揺動磁石７に対応した個所には凹所１ｂが形成され、揺動アーム５の後端に固定された揺動磁石７が挿入するようにして移動を規制している。この揺動磁石７が凹所１ｂ内に挿入して底面に当接させた状態では、図３及び図４（Ｂ）に示すように、揺動磁石７が固定磁石８よりも把持部１の下方側にずれるように配置している。また、把持部１の揺動磁石７の側面に対向する位置には、固定磁石８が固定されている。この固定磁石８も揺動磁石７と同じ扁平なボタン状に形成された例えばネオジム永久磁石としている。そして、揺動磁石７と固定磁石８は、図４に示すように、互いに反発する極性に磁化されている。
【００２１】  このように、固定磁石８に対して反発した揺動磁石７の位置により揺動アーム５の揺動位置を切り換えて、電動モータ３の出力軸３ａとスプール４のフランジ４ａの外周との接離状態を切り換えるクラッチ機構を構成している。
【００２２】  一方、把持部１の先端に着脱可能に取付けられる穂先２は、ワカサギ釣り竿として一般に市販されている仕掛けであり、詳細な説明は省略するが、スプール４に巻回される釣り糸９の先端側には、釣り針１０、おもり１１が取り付けられている。また、釣り糸９は、把持部１の先端側に設けられた釣り糸ガイドリング１２によってガイドされる。
【００２３】  なお、図１〜図３に点線で示すように、把持部１の後方に電池１３を収納するようにしても良い。電池１３は、外部の電池ボックスに収納するようにしても良い。そして、この電池１２を電源として電動モータ３が回転駆動される。電池１３と電動モータ３とは図示しない電線で接続されていて、電動モータ３の駆動、停止は、把持部１の側方に配設されたスイッチ１４によって操作するようにしている。
【００２４】  次に、上述した釣り用電動リールのクラッチ動作について説明する。図１は、釣り糸９をスプール４に巻回する駆動状態であり、揺動アーム５が支点部６を中心として反時計方向に揺動しているので、スプール４のフランジ４ａが電動モータ３の出力軸３ａに当接している。この状態でスイッチ１４を押圧操作することにより、電動モータ３の回転駆動力がスプール４に伝達してスプール４に釣り糸を巻き取ることができる。この状態では、図４（Ａ）に示すように、固定磁石８の下面側の磁極がＮ極であり、隣接する揺動磁石７の下面側の磁極が同じＮ極となっている、このため、固定磁石８に対して揺動磁石７が反発して揺動アーム５を反時計方向に揺動させられ、これにより、駆動状態を保持している。このとき、両磁石の反発力が、電動モータ３の出力軸３ａに対するスプール４のフランジ４ａの押圧力となる。
【００２５】  この駆動状態から、スプール４が自由回転して釣り糸９が送り出されるフリー状態に切り換えるクラッチ操作を行うには、揺動アーム５の揺動磁石７が固定されている個所を押圧する。この押圧操作によって、図４（Ｂ）に示すように、揺動アーム５が支点部６を中心として時計方向に揺動し、図３に示すように、スプール４のフランジ４ａが電動モータ３の出力軸３ａから離脱する。このため、スプール４が自由回転可能な状態になるので、釣り糸９をおもり等の重さによってスプール４から送り出すことができる。このフリー状態では、上述したように、揺動磁石７が固定磁石８よりも下方側にずれるように配置しているので、固定磁石８の下面側のＮ極と、揺動磁石７の下面側のＮ極が反発して揺動アーム５が時計方向に保持されるのでフリー状態を保持している。
【００２６】  その後、フリー状態から駆動状態に切り換えるクラッチ操作を行うには、揺動アーム５の押圧部５ｂを押圧する。この押圧操作によって、揺動アーム５が反時計方向に揺動し、スプール４のフランジ４ａが電動モータ３の出力軸３ａに当接し、電動モータ３の回転駆動力がスプール４に伝達してスプール４に釣り糸を巻き取ることができる駆動状態に切り換えられる。この状態では、前述したように、固定磁石８に対して揺動磁石７が反発して揺動アーム５を反時計方向に揺動することにより駆動状態が保持される。
【００２７】  以上、本考案を実施例に基づき具体的に説明したが、本考案は上記実施例に限定されるものではなく、その要旨を逸脱しない範囲で種々変形可能であることは言うまでもない。例えば、固定磁石と揺動磁石として、扁平なボタン状に形成されたネオジム永久磁石としたが、形状としては角柱状であっても良く、また、磁石としてフェライト磁石に替えても良い。また、上述した実施例は、ワカサギ釣り竿用の電動リールを例示したが、ハゼ又はキス等の小魚釣り用の電動リールに適用しても良い。
【符号の説明】
【００２８】１    把持部
１ｂ  凹所
２    穂先
３    電動モータ
３ａ  出力軸
４    スプール
４ａ  フランジ
５    揺動アーム
５ｂ  押圧部
６    支点部
７    揺動磁石
８    固定磁石
９    釣り糸
【図１】
0003209419.tif 000003
【図２】
0003209419.tif 000004
【図３】
0003209419.tif 000005
【図４】
0003209419.tif 000006